(57)【特許請求の範囲】
【請求項１】
床ユニット同士を突き合せて連結してなる連結防水床であって、
該床ユニットは、床パネルと、該床パネルの少なくとも周縁部を支承している支持フレームとを有しており、
隣接する該床ユニットの該支持フレーム同士が連結部材で連結されている連結防水床において、
該支持フレームは、床パネルの周縁部を周回する枠状のフレーム本体（４）と、枠状のフレーム本体（４）の中央側に張り出す支承片（６）とを有しており、
該床パネルには、その周縁下面から下方に突出するように脚片（３ａ）が設けられており、この脚片（３ａ）が支承片（６）上に載荷されており、
該床パネルには、その支持フレームと、隣接する該床ユニットの該支持フレームとの間に介在する下方延出片が垂設されていないことを特徴とする連結防水床。
【請求項２】
請求項１において、隣接する床ユニットの該支持フレーム同士の間に止水材を介在させたことを特徴とする連結防水床。
【請求項３】
請求項２において、前記支持フレームは、フレーム本体と、該フレーム本体上に設置された介装枠体とを有しており、
該介装枠体に上方に起立する起立片が設けられており、
前記止水材は該起立片同士の間に介在されていることを特徴とする連結防水床。
【請求項４】
請求項３において、隣接する支持フレームの該フレーム本体同士が上向きコ字形の連結金具で連結されており、
該連結金具に設けられた爪部が該フレーム本体に設けられた細孔に係合していることを特徴とする連結防水床。
【請求項５】
請求項３又は４において、隣接する支持フレームの前記フレーム本体同士が直接に当接していることを特徴とする連結防水床。
【発明の詳細な説明】
【技術分野】
【０００１】
本発明は、床ユニット同士を連結して構成した連結防水床に係り、特に床ユニットが支持フレームと、該支持フレームによって支承された床パネルとを有している連結防水床に関する。
【背景技術】
【０００２】
複数の床ユニット同士を連結した連結防水床であって、床ユニットがＦＲＰ製の防水パンと、該防水パンの下面周縁部に設けられた補強フレームと、該補強フレームに設けられた足ボルトとを有した連結防水床が特許文献１に記載されている。特許文献１では、隣接する防水パンの補強フレーム同士が、それらを水平に貫通するボルトによって連結されている。
【先行技術文献】
【特許文献】
【０００３】
【特許文献１】実開平６−８２１７１
【発明の概要】
【発明が解決しようとする課題】
【０００４】
上記特許文献１の連結防水床にあっては、ＦＲＰ製防水パンの周縁から下方に片部が垂設されており、各防水パンの片部が隣接する防水パンの該補強フレーム同士の間に挟まれている。また、この隣接する防水パンの片部同士の間にパッキンを介在させている。前記ボルトは該片部及びパッキンも貫いている。
【０００５】
かかる従来の連結防水床にあっては、防水パンの片部が補強フレーム同士の間に挟まれ、該片部にボルトが貫通している。そのため、既設の連結防水床から防水パンのみを取り外すことができない。すなわち、防水パンの交換等を行うに際しては、ボルトを外して連結防水床を解体する必要があり、手間がかかっていた。
【０００６】
本発明は、かかる従来の問題点を解決し、連結防水床全体を解体することなく、床パネルのみを取り外したり交換したりすることが可能な連結防水床を提供することを目的とする。
【課題を解決するための手段】
【０００７】
本発明の連結防水床は、床ユニット同士を突き合せて連結してなる連結防水床であって、該床ユニットは、床パネルと、該床パネルの少なくとも周縁部を支承している支持フレームとを有しており、隣接する該床ユニットの該支持フレーム同士が連結部材で連結されている連結防水床において、該支持フレームは、床パネルの周縁部を周回する枠状のフレーム本体（４）と、枠状のフレーム本体（４）の中央側に張り出す支承片（６）とを有しており、該床パネルには、その周縁下面から下方に突出するように脚片（３ａ）が設けられており、この脚片（３ａ）が支承片（６）上に載荷されており、該床パネルには、その支持フレームと、隣接する該床ユニットの該支持フレームとの間に介在する下方延出片が垂設されていないことを特徴とするものである。
【０００８】
本発明では、支持フレーム同士の間に止水材を介在させてもよい。
【０００９】
本発明では、支持フレームのフレーム本体同士が上向きコ字形の連結金具で連結されており、該連結金具に設けられた爪部が支持フレームの細孔に係合している構成としてもよい。
【発明の効果】
【００１０】
本発明の連結防水床は、支持フレーム及び床パネルを有する床ユニットの該支持フレーム同士が連結部材で連結されている。本発明では、隣接する床ユニットの支持フレーム同士の間に、床パネルの下方延出片が非介在となっている。そのため、連結防水床の支持フレーム同士の連結を解除することなく、床パネルのみを支持フレームから取り外すことができる。また、床パネルを既設の支持フレームに対し取り付けることも可能である。
【００１１】
支持フレーム同士の間に止水材を介在させることにより、連結防水床の止水性が向上する。
【００１２】
支持フレームのフレーム本体同士が上向きコ字形の連結金具で連結されており、該連結金具に設けられた爪部が支持フレームの細孔に係合している構成とした場合には、支持フレーム同士を容易に連結することができる。
【図面の簡単な説明】
【００１３】
【図１】実施の形態に係る連結防水床の床ユニット同士の連結部分の縦断面図である。
【図２】図１の分解図である。
【図３】連結金具による連結構造を示す斜視図である。
【図４】支持フレームの足ボルトを示す縦断面図である。
【図５】床ユニット同士の連結を説明する斜視図である。
【図６】床ユニット同士の連結の別例を説明する斜視図である。
【図７】図６のVII−VII部分の断面図である。
【図８】実施の形態に係る連結防水床の床ユニット同士の連結部分の縦断面図である。
【図９】実施の形態に係る連結防水床の床ユニット同士の連結部分の縦断面図である。
【図１０】外周部の納まりを示す縦断面図である。
【発明を実施するための形態】
【００１４】
以下、図面を参照して実施の形態について説明する。
【００１５】
図１〜５は第１の実施の形態に係る連結防水床を示すものである。なお、図２は図５のII−II線部分の断面を示している。図５では、支持フレーム２、介装枠体１３及び床パネル３が離間して示されているが、構築された連結防水床にあってはこれらは重ね合わされた状態となっている。
【００１６】
図５の通り、この連結防水床は、複数個の床ユニット１，１Ａ，１Ｂを突き合わせて連結したものである。床ユニット１，１Ａ，１Ｂは脚部材としての足ボルト７の本数が異なる他は同一構成である。即ち、床ユニット１では４コーナー部にそれぞれ足ボルト７が設けられ、床ユニット１Ａでは一方の長手側辺の両端にのみ足ボルト７が設けられ、床ユニット１Ｂでは一方の短手側辺の両端にのみ足ボルト７が設けられている。ただし、本発明では、すべて同一の床ユニット１のみを用いてもよい。
【００１７】
床ユニット１，１Ａ，１Ｂは、支持フレーム２と、該支持フレーム２によって支承された床パネル３とを有している。支持フレーム２は、床パネル３の周縁部を周回する枠状である。
【００１８】
図１〜４の通り、支持フレーム２は、角パイプを溶接によって連結して枠形としたフレーム本体４と、該フレーム本体４の内周側の側面にビス５によって取り付けられ、水平に枠中央側に張り出すＬ字断面形状の支承片６と、該フレーム本体４及び支承片６上に設置された介装枠体１３と、フレーム本体４に上下方向螺進可能に設けられた足ボルト７とを有する。フレーム本体４には、連結金具１０が係合するスリット状の細孔１１が設けられている。なお、支承片６は溶接などによってフレーム本体４に固設されてもよい。
【００１９】
連結金具１０は、底部１０ａと、１対の縦部１０ｂとを有した上向きコ字形であり、上端から互いに接近方向に爪部１０ｃが突設されている。１対の縦部１０ｂでフレーム本体４，４同士を挟み、各爪部１０ｃを各フレーム本体４の細孔１１に係合させることによりフレーム本体４同士を連結する。
【００２０】
フレーム本体４の上面から支承片６の上面にまで上方から重ねられるようにして介装枠体１３が設置されている。介装枠体１３は溶接やビス留めによってフレーム本体４に固定されてもよく、フレーム本体４及び支承片６に載置されるものであってもよい。介装枠体１３のうち、支承片６の上面に重なる内周側１３ａの上面と床パネル３の周縁下面との間に低圧縮性の例えば発泡ゴム等よりなる止水材（シール材）１４が介在されている。
【００２１】
隣接する連結防水床１，１Ａの介装枠体１３，１３との対峙面には起立片１３ｂが設けられ、起立片１３ｂ，１３ｂ間に低圧縮性の止水材（シール材）１５が介在されている。この止水材１５は、図２の通り、一方の連結防水床１の介装枠体１３の起立片１３ｂに予め両面テープ、接着剤などによって取り付けられている。
【００２２】
ＦＲＰ製の床パネル３の周縁下面から下方に突出するように、脚片３ａが床パネル３と一体に設けられている。この脚片３ａが支承片６上に載荷されている。
【００２３】
この脚片３ａよりも内周側の床ユニット３下面にバネ片１９がビス１８によって取り付けられている。バネ片１９は、脚片３ａに沿って下方に延出している。脚片３ａの下部は、脚片３ａ側に接近する「く」字形に折曲した係止部１９ａとなっている。
【００２４】
バネ片１９付きの床パネル３を、脚片３ａが支承片６に載荷されるようにして支承片６上にゆっくりと設置する。この際、バネ片１９の係合部１９ａが脚片３ａが支承片６の先端に押されて退動し、次いで該係合部１９ａが支承片６の先端を通過すると元形状に復帰して該支承片６の先端に係合し、床パネル３の浮き上がりが防止される。
【００２５】
連結防水床を構築するには、各床ユニット１，１Ａ，１Ｂを組み立てておき、これをユニットルーム構築予定エリアに搬入し、連結金具１０によって連結してもよく、支持フレーム２と床パネル３とを分離しておき、支持フレーム２同士を連結した後、床パネル３を取り付けるようにしてもよい。
【００２６】
床ユニット１，１Ａ，１Ｂ同士を連結した後、床パネル３，３間の介装枠体１３の上面側に帯板状のカバー材２１を載置し、カバー材２１と床パネル３の周縁との隙間に乾式目地２２（図１）を充填する。
【００２７】
このようにして構築された連結防水床にあっては、床パネル３から垂下する片部がフレーム本体４，４間に挟まれていない。そのため、乾式目地２２を取り外し、カバー材２１を取り外した後、床パネル３を上方に引き上げると、バネ片１９の係合部１９ａが支承片６から外れ、床パネル３を支持フレーム２から分離することができる。これにより、床パネル３を新しいものと交換したり、床下のメンテナンス作業を行った後、再装着したりすることができる。
【００２８】
この実施の形態では、介装枠体１３，１３の縦片１３ｂ，１３ｂ間で止水材１５を挟圧するようにしており、止水性が良好である。
【００２９】
この実施の形態では、フレーム本体４，４同士を上向きコ字形の連結金具１０によってワンタッチ式に連結しており、連結作業が容易である。また、この実施の形態では連結金具１０の底部１０ａがフレーム本体４，４の底面に当接しており、また爪部１０ｃが細孔１１に係合していることにより、フレーム本体４，４同士の位置決めを行うことができる。
【００３０】
上記図１〜５の実施の形態では、各床ユニット１，１Ａ，１Ｂは同一サイズとなっているが、この床ユニット複数個分の大きさを有した床ユニットを用いてもよい。
【００３１】
図６はかかる連結防水床の一例を示すものであり、床ユニット１’は前記床ユニット１の複数個（この実施の形態では２個）分の大きさを有している。床ユニット１’のフレーム本体４’はフレーム本体４を２個連結したものと同様の構成となっている。ただし、フレーム本体４，４同士を単に連結した構成のものではなく、フレーム本体４，４の繋ぎ箇所に相当する中間部には、図７のように２本のフレーム本体４，４分の太幅のフレーム本体桟部材２４が設置され、該フレーム本体桟部材２４の両側面に支承片６がビス５によって取り付けられている。図７のその他の構成は、連結金具１０及び止水材１５を省略したこと以外、図１と同一である。ただし、止水材１５を設置してもよい。
【００３２】
上記実施の形態では、床パネル３はフレーム本体４よりも枠の内側にのみ配置されているが、本発明では図８のように一方の床パネル３’がフレーム本体４，４の上側にまで張り出す張出部３ｅを有していてもよい。図８のその他の構成は図１と同じである。
【００３３】
本発明では、図９のように床パネル３，３の上側にさらにユニットルーム全体にわたって一連に敷き詰めるように防止シート材２６を敷設し、防水性を高めたり、意匠性や触感を高めたりしてもよい。
【００３４】
図９では図１の連結防水床の上にシート材２６を敷設しているが、その他の連結防水床においてもシート材２６を敷設してもよい。図５，６では、構築されるユニットルームは平面形状が方形となっているが、これに限定されない。
【００３５】
本発明を特に限定するものではないが、ユニットルームの外周部の納まりの一例を図１０に示す。図１０では外周部のフレーム本体４の上に壁パネル３０が立設され、壁パネル３０と床パネル３との隙間に乾式目地３１が充填されている。
【００３６】
上記実施の形態はいずれも本発明の一例であり、本発明は図示以外の形態とされてもよい。上記実施の形態では、フレーム本体４，４同士が直接に当接されているが、フレーム本体４，４間に、床パネル３，３’に連続していない緩衝シート材やシール材などを介在させてもよい。
【符号の説明】
【００３７】
１，１Ａ，１Ｂ，１’  床ユニット
２  支持フレーム
３，３’  床パネル
４  フレーム本体
６  支承片
７  足ボルト
１０  連結金具
１０ｃ  爪部
１１  細孔
１３  介装枠体
１３ｂ  起立片
１４，１５  止水材
１９  バネ片
２１  カバー材
３０  壁パネル
【図１】
0005929291.tif 000002
【図２】
0005929291.tif 000003
【図３】
0005929291.tif 000004
【図４】
0005929291.tif 000005
【図５】
0005929291.tif 000006
【図６】
0005929291.tif 000007
【図７】
0005929291.tif 000008
【図８】
0005929291.tif 000009
【図９】
0005929291.tif 000010
【図１０】
0005929291.tif 000011